(57)【要約】【課題】ミシン目を形成しなくても一部を容易に切り離すことができる帳票を実現する。【解決手段】本発明の帳票１０は、複数のシート片１１，１２，１３が相互に積層された状態で少なくともいずれか二枚の前記シート片が剥離可能に接着されてなる帳票１０において、第１の前記シート片１１と第２の前記シート片１２が相互に折り返し線ｂを介して連続し、第３の前記シート片１３が前記第１のシート片１１及び前記第２のシート片１２と分離した態様で前記第２のシート片１２に剥離可能に接着されるとともに、前記第３のシート片１３における前記折り返し線ｂが配置される側とは反対側にある第３の端縁部１３ａと、前記第２のシート片１２における前記第３の端縁部１３ａと同側にある第２の端縁部１２ａとが平面的に一致することを特徴とする。【選択図】図６
2009274245.tif 000002
【特許請求の範囲】
【請求項１】
複数のシート片（１１，１２，１３）が相互に積層された状態で少なくともいずれか二枚の前記シート片が剥離可能に接着されてなる帳票（１０）において、
第１の前記シート片（１１）と第２の前記シート片（１２）が相互に折り返し線（ｂ）を介して連続し、
第３の前記シート片（１３）が前記第１のシート片（１１）及び前記第２のシート片（１２）と分離した態様で前記第２のシート片（１２）に剥離可能に接着されるとともに、
前記第３のシート片（１３）における前記折り返し線（ｂ）が配置される側とは反対側にある第３の端縁部（１３ａ）と、前記第２のシート片（１２）における前記第３の端縁部（１３ａ）と同側にある第２の端縁部（１２ａ）とが平面的に一致することを特徴とする帳票。
【請求項２】
前記第１のシート片と前記第２のシート片若しくは前記第３のシート片の少なくとも一方とが剥離可能に接着され、前記第１のシート片（１１）における前記第２の端縁部（１２ａ）及び前記第３の端縁部（１３ａ）の側にある第１の端縁部（１１ａ）が平面的に見て前記第２の端縁部（１２ａ）及び前記第３の端縁部（１３ａ）より前記折り返し線（ｂ）の側に配置されることを特徴とする請求項１に記載の帳票。
【請求項３】
前記第１のシート片（１１）及び前記第２のシート片（１２）が前記第３のシート片（１３）の表裏両面にそれぞれ剥離可能に接着されていることを特徴とする請求項１又は２に記載の帳票。
【請求項４】
前記第１のシート片（１１′）と前記第２のシート片（１２′）が相互に剥離可能に接着されているとともに、前記第２のシート片（１２′）における前記第１のシート片（１１′）が接着された面とは反対側の面に前記第３のシート片（１３′）が剥離可能に接着されていることを特徴とする請求項１又は２に記載の帳票。
【請求項５】
前記第３のシート片（１３′）における前記第３の端縁部（１３ａ′）とは反対側の端縁部（１３ｂ′）が平面的に見て前記第１のシート片（１１′）と前記第２のシート片（１２′）の折り返し線（ｂ）より前記第３の端縁部（１３ａ′）の側に配置されることを特徴とする請求項４に記載の帳票。
【請求項６】
複数のシート片（１１，１２，１３）が相互に積層された状態で少なくともいずれか二枚の前記シート片が剥離可能に接着されてなる帳票（１０）の製造方法において、
連続する三枚以上の前記シート片（１１，１２，１３）を有する元シート（１０Ｘ）を各シート片単位で二以上の折り返し線（ａ，ｂ）により折り畳み、少なくとも一つの折り返し線（ａ）の両側にある前記シート片（１２，１３）同士を直接若しくは間接的に剥離可能に接着して積層させる工程と、
前記少なくとも一つの折り返し線（ａ）と並行して隣接する線（ｃ）に沿って裁断することにより該折り返し線（ａ）の両側にある二枚の前記シート片（１２，１３）を分離する工程と、
を具備することを特徴とする帳票の製造方法。
【発明の詳細な説明】
【技術分野】
【０００１】
本発明は帳票及びその製造方法に係り、特に、少なくとも二枚のシート片が剥離可能に接着された状態で複数のシート片が積層されてなり、郵便物として利用する場合に好適な帳票の構造及び製法に関する。
【背景技術】
【０００２】
一般に、複数のシート片を剥離可能に接着して積層してなる帳票で郵便物である圧着葉書や圧着封筒を構成することが知られている。このような圧着葉書や圧着封筒としては、二枚の連続したシート片を折り返し線を介して折り畳んだ状態で圧着させてなるもの、三枚以上の連続したシート片を複数の折り返し線を介して折り畳んだ状態で圧着させてなるものが知られている。
【０００３】
また、上記の圧着葉書としては、積層してなる複数のシート片のうち一枚のシート片若しくはシート片の一部を他のシート片若しくは他の部分に対してミシン目等を介して連続させておき、圧着面を剥離して開封した後に上記一枚のシート片若しくはシート片の一部を他のシート片若しくは他の部分から容易に切り離すことができるように構成したものが以下の特許文献１乃至３に開示されている。また、圧着封筒の構成例が以下の特許文献４に記載されている。
【特許文献１】特開２００４−１６０８６４号公報
【特許文献２】特開２００５−３４３０９６号公報
【特許文献３】特開２００６−１１６７７３号公報
【特許文献４】特開２００３−３４３３６号公報
【発明の開示】
【発明が解決しようとする課題】
【０００４】
ところで、前述の圧着葉書や圧着封筒を構成する帳票においては、郵便料金が安価で、情報を秘匿した形で郵送を行うことができるという利点がある上、シート片の間やシート片の内部にミシン目を施すことで、たとえば、チケット、受験票、会員カード、返信葉書などを構成する部分を他の部分から容易に切り離し可能となるように構成できる。
【０００５】
しかしながら、この場合には、上記ミシン目を折り返し線や印刷領域に対して正確に形成しなければならないことから、ミシン目を正確な位置に形成するための工程が必要であるために煩雑かつコスト高になり、一方、上記工程の不備により折り返し線や印刷領域に対するミシン目の位置ずれが生ずると目立ちやすいために悪印象を与えかねないという問題点がある。
【０００６】
また、ミシン目を形成する場合には、ミシン目に沿ったシート片の切り離しにより紙粉が発生して環境を汚染したり、この紙粉（粉塵）やミシン目を切り離した箇所の端縁に生ずる毛羽や折り返し縁により機械処理において機械の紙詰まり、故障、誤動作等が発生したり、切り離し時にシート片が意図しない形状に破れてしまったりする虞があることから、利用しにくい場合があるという問題点もあった。
【０００７】
そこで、本発明は上記問題点を解決するものであり、その課題は、ミシン目を形成しなくても一部を容易に切り離すことができる帳票を実現することにある。
【課題を解決するための手段】
【０００８】
斯かる実情に鑑み、本発明の帳票（１０）は、複数のシート片（１１，１２，１３）が相互に積層された状態で少なくともいずれか二枚の前記シート片が剥離可能に接着されてなる帳票（１０）において、第１の前記シート片（１１）と第２の前記シート片（１２）が相互に折り返し線（ｂ）を介して連続し、第３の前記シート片（１３）が前記第１のシート片（１１）及び前記第２のシート片（１２）と分離した態様で前記第２のシート片（１２）に剥離可能に接着されるとともに、前記第３のシート片（１３）における前記折り返し線（ｂ）が配置される側とは反対側にある第３の端縁部（１３ａ）と、前記第２のシート片（１２）における前記第３の端縁部（１３ａ）と同側にある第２の端縁部（１２ａ）とが平面的に一致することを特徴とする。
【０００９】
この発明によれば、第１のシート片と第２のシート片が折り返し線を介して連続し、第３のシート片が第１のシート片及び第２のシート片に対して分離した態様で第２のシート片と剥離可能に接着されていることにより、第３のシート片を第２のシート片から剥離することで第１及び第２のシート片からそのまま切り離すことができる。また、第２のシート片の第２の端縁部と第３のシート片の第３の端縁部とが平面的に一致していることにより、第３のシート片が意図せずに剥離してしまうといった事態の発生が抑制されるので、郵送その他の搬送時などにおける意図しない不具合が低減される。さらに、第３のシート片がミシン目によって切り離されることがないので、粉塵の発生を防止でき、粉塵、毛羽、折り返し縁等に起因する機械処理時などにおける不具合が低減される。
【００１０】
ここで、第２の端縁部と第３の端縁部とが平面的に一致するとは、両端縁部の少なくとも一部に共通の線分に沿った部分が存在することを言う。この構成は、二枚のシート片の少なくとも一部が重なった箇所を通過する仮想線に沿って切断したときに現れる共通の線状の端縁部分を有する場合を含む。もっとも、両端縁部の全体が共通の線に沿って形成されて完全に一致していることが作用効果的にも製造上においても好ましいことは当然である。
【００１１】
本発明の一の態様においては、前記第１のシート片と前記第２のシート片若しくは前記第３のシート片の少なくとも一方とが剥離可能に接着され、前記第１のシート片（１１）における前記第２の端縁部（１２ａ）及び前記第３の端縁部（１３ａ）の側にある第１の端縁部（１１ａ）が平面的に見て前記第２の端縁部（１２ａ）及び前記第３の端縁部（１３ａ）より前記折り返し線（ｂ）の側に配置される。これによれば、第１の端縁部が平面的に見て第２及び第３の端縁部より折り返し線の側に配置されることで、第１のシート片が意図せずに剥離してしまうといった事態の発生が抑制されるとともに、第１の端縁部と、第２及び第３の端縁部との間の位置ずれ部分を手がかりに剥離作業を容易に行うことが可能になる。また、連続した第１乃至第３のシート片を有する元シートを各シート片単位で折り畳んだ状態で、第２のシート片と第３のシート片の間の折り返し線と並行して隣接する線に沿って裁断して、第２のシート片と第３のシート片とを分離することにより本発明の帳票が形成される場合には、第１のシート片を共に裁断しないようにしたいときに当該第１のシート片が裁断の障害とならないので、裁断作業を容易に行うことが可能になる。
【００１２】
本発明の他の態様においては、前記第１のシート片（１１）及び前記第２のシート片（１２）が前記第３のシート片（１３）の表裏両面にそれぞれ剥離可能に接着されている。これによれば、第３のシート片の表裏両面が第１のシート片及び第２のシート片で覆われるので、第３のシート片の秘匿性を表裏のいずれの面においても確保できるとともに、第３のシート片の第３の端縁部とは反対側の端縁部（１３ｂ）が第１のシート片と第２のシート片の折り返し部によって包摂されるので、第３のシート片が意図せずに剥離してしまうといったことが更に抑制される。
【００１３】
本発明の別の態様においては、前記第１のシート片（１１′）と前記第２のシート片（１２′）が相互に剥離可能に接着されているとともに、前記第２のシート片（１２′）における前記第１のシート片（１１′）が接着された面とは反対側の面に前記第３のシート片（１３′）が剥離可能に接着されている。これによれば、第３のシート片を第２のシート片から剥離するだけで容易に切り離すことができる。
【００１４】
この場合においては、前記第３のシート片（１３′）における前記第３の端縁部（１３ａ′）とは反対側の端縁部（１３ｂ′）が前記第１のシート片（１１′）と前記第２のシート片（１２′）の折り返し線（ｂ）より平面的に前記第３の端縁部（１３ａ′）の側に配置される。これによれば、第３のシート片における第３の端縁部とは反対側の端縁部が平面的に見て折り返し線より第３の端縁部の側に配置されることで、第３のシート片が意図せずに剥離してしまうといった事態の発生がさらに抑制されるとともに、折り返し線と反対側の端縁部との間の位置ずれ部分を手がかりに剥離作業を容易に行うことが可能になる。
【００１５】
次に、本発明の帳票の製造方法は、複数のシート片（１１，１２，１３）が相互に積層された状態で少なくともいずれか二枚の前記シート片が剥離可能に接着されてなる帳票（１０）の製造方法において、連続する三枚以上の前記シート片（１１，１２，１３）を有する元シートを各シート片単位で二以上の折り返し線（ａ，ｂ）により折り畳み、少なくとも一つの折り返し線（ａ）の両側にある前記シート片（１２，１３）同士を直接若しくは間接的に剥離可能に接着して積層させる工程と、前記少なくとも一つの折り返し線（ａ）と並行して隣接する線（ｃ）に沿って裁断することにより該折り返し線（ａ）の両側にある二枚の前記シート片（１２，１３）を分離する工程と、を具備することを特徴とする。
【００１６】
この発明によれば、連続する複数のシート片を有する元シートを各シート片単位で封数の折り返し線により折り畳み、少なくとも一つの折り返し線の両側にあるシート片同士を剥離可能に接着してから、当該少なくとも一つの折り返し線と並行して隣接する線に沿って裁断することにより、きわめて簡易な工程で他より独立したシート片が剥離可能に接着され、しかも、上記折り返し線の両側にあったシート片の端縁部が平面的に一致してなる帳票を製造することができる。
【００１７】
なお、請求項１、２及び６中の括弧内には後述する第１実施形態の対応する構成要素の符号のみを示すが、請求項１、２及び６に係る発明は後述する第２実施形態にも同様に反映されている。
【発明の効果】
【００１８】
本発明によれば、ミシン目を形成しなくても、剥離するだけで一部を容易に切り離すことのできる帳票を構成し、或いは、容易に製造できるという優れた効果を奏し得る。
【発明を実施するための最良の形態】
【００１９】
以下、本発明の実施の形態を図示例と共に説明する。なお、以下に示す各実施形態は本発明の態様を例示したものに過ぎない。
【００２０】
［第１実施形態］
最初に、図１乃至図６を参照して本発明に係る第１実施形態の帳票及びその製造方法について説明する。図１は本実施形態の帳票を製造する場合に用いる元シートの表面図、図２は同元シートの裏面図、図３は同元シートの断面図である。
【００２１】
本実施形態の帳票を製造するには一体の元シート１０Ｘを用いる。この元シート１０Ｘは紙、合成樹脂、金属箔等のシート材で構成され、平面視矩形状に構成される。元シート１０Ｘは、後に折り返し時の単位となる連続する三つのシート片１１、１２、１３を有する。これらのシート片１１，１２，１３は図示例ではそれぞれ矩形状に構成され、相互に同一形状とされている。なお、本発明に係る元シートとしては三つ以上のシート片を備えたものでもよく、各シート片の形状が相互に異なるものであってもよく、さらには、折り返し単位となるシート片以外の部分（例えば、インデックス用の張り出し部など）を別途有するものでも構わない。
【００２２】
図１及び図２に示すように、第１のシート片１１においては、例えば、表面１１ｘに適宜の広告部、説明部、通信文記載部等（図示せず）が印刷等によって構成され、裏面１１ｙに郵便用の郵券印刷部（或いは郵券貼着部）、郵便番号記載部、宛名記載部等が印刷等により構成される。また、第２のシート片１２においては、例えば、表面１２ｘ及び裏面１２ｙのいずれにも広告部、説明部、通信文記載部等（図示せず）が印刷等によって構成される。さらに、第３のシート片１３においては、表面１３ｘに説明部、案内部等が印刷等によって構成され、裏面１３ｙにチケットや受験票等における表題部等が印刷等によって構成される。なお、広告その他の各記載部分の有無及び態様如何はいずれも本発明を何ら限定するものではない。
【００２３】
また、図３に示すように、元シート１０Ｘの表面には、上記表面１１ｘ、１２ｘ、１３ｘに亘って（紫外線硬化）ニス層、糊層、樹脂フィルム等の透明な接着層１０ａで剥離可能な接着面が構成される。また、元シート１０Ｘの裏面においては、上記裏面１３ｙに上記と同様の透明な接着層１０ｂで剥離可能な接着面が構成される。なお、このように本実施形態の元シート１０Ｘは予め上記透明な接着層１０ａ，１０ｂが少なくとも一部の面に形成されたものであるが、印刷面を透視可能とする必要性がなければ接着層１０ａ，１０ｂは不透明な接着層であってもよい。また、本発明の元シートとしてはこのようなものに限られず、後の工程において上記透明若しくは不透明な接着層がラミネート、塗布等により形成されたり、後に接着剤（粘着剤）を塗布したりすることで剥離可能な接着面が構成されるようにしてもよい。
【００２４】
本実施形態においては、図４に示すように、元シート１０Ｘに仮想的に設定された折り返し線ａに沿って第３のシート片１３を第２のシート片１２の上に折り返して折り畳み、また、図５に示すように、元シートに仮想的に設定された折り返し線ｂに沿って、第１のシート片１１を上記のように折り畳まれた第２のシート片１２及び第３のシート片の上に折り返して折り畳むことにより、元シート１０Ｘを全体として各シート片が同じ側に巻き付くように（いわゆる「巻３折り」に）構成し、図示上方から第１のシート片１１、第３のシート片１３、第２のシート片１２の順で積層されるようにする。この状態で、各シート片の上記接着面（図示例では上記接着層１０ａ，１０ｂ）を加熱加圧処理等によって圧着することで、各シート片間が剥離可能に接着されてなる帳票１０Ｙが構成される。
【００２５】
この帳票１０Ｙにおいては、図５に示すように、最上面に第１シート片１１の裏面１１ｙが表出し、中間の第３シート片の表面１３ｘ及び裏面１３ｙがいずれも第２シート片１２及び第１シート片１１によって被覆された状態とされる。このとき、第２のシート片１２と第３のシート片１３の間の折り返し線ａと、第１のシート片１１と第２のシート片１２の間の折り返し線ｂは、相互に反対側の端縁部に配置される。また、折り返し線ａで構成される第２のシート片１２及び第３のシート片１３の図示右側の端縁部は、第１のシート片１１における同じ側の第１の端縁部１１ａより図示右側に突出している。すなわち、第１の端縁部１１ａは、平面的に見て折り返し線ａよりも反対側（折り返し線ｂの側、図示左側）に配置される。
【００２６】
その後、上記折り返し線ａと並行して隣接する裁断線ｃに沿って、直接に剥離可能に接着された第２のシート片１２及び第３のシート片１３の折り返し線ａ側の部分を切断除去することで、第２のシート片１２と第３のシート片１３とが分離され、図６に示す帳票１０が完成される。この帳票１０は、上記裁断線ｃに沿った裁断によって共に形成されることによって平面的に一致するように構成された第２の端縁部１２ａ及び第３の端縁部１３ａを有する。なお、この帳票１０においても、上記第１の端縁部１１ａは、第２の端縁部１２ａ及び第３の端縁部１３ａよりも反対側（折り返し線ｂの側、図示左側）にずれた位置に配置されている。
【００２７】
帳票１０では、上記の裁断工程により、第２のシート片１２と第３のシート片１３とが分離されるので、剥離作業のみで第３のシート片１３を第１のシート片１１及び第２のシート片１２からきわめて容易に切り離すことができるようになっている。なお、第２の端縁部と第３の端縁部が平面的に一致するとは、両端縁部の少なくとも一部に共通の線に沿って伸びる部分が存在することを言う。したがって、端縁部全体が共通の線に沿って伸びる必要は必ずしもないが、図示例のように両端縁部全体が完全に平面的に一致していることが好ましく、また、図示例のように共通の線が直線状であることが望ましい。
【００２８】
本実施形態の帳票１０は、例えば、コンサート、フェスティバル、各種試験等の開催者、販売店、役所その他の主催者から、参加者、応募者、受験者、顧客その他の対象者に向けて発送し、対象者がこれを受け取った後に第３のシート片１３を第１のシート片１１及び第２のシート片１２から剥離して分離し、その後、対象者が第３のシート片１３をチケット、参加票、受験票、サービス券（無料券）、身分証、所属証、回答はがきその他の返答書面等として、持参したり、返送したりする場合において、以下のような多大な利便性を得ることができる。
【００２９】
本実施形態の帳票１０においては、第３のシート片１３が第１のシート片１１及び第２のシート片１２に対して分離されているので、剥離可能な接着面となっている表裏両面を第１のシート片１１及び第２のシート片１２からそれぞれ剥離するだけでそのまま独立したシート片となることから、利用者に手間をかけることがないとともに、ミシン目に沿って切断する必要がないため、切断時に紙粉等の粉塵が発生することがなく、ミシン目に沿って切断した端縁部（破れ縁）に毛羽が発生することもなく、さらには、当該端縁部に折り返しによる折り返し縁（ミシン目が折り返し線からずれた位置に形成された場合に発生する。）が残ることもない。したがって、利用者の手間が軽減され、外観が流麗となるだけでなく、機械処理時における機械の粉塵、毛羽、折り返し縁等による紙詰まり、故障、誤動作等を回避することができる。
【００３０】
また、帳票１０では、相互に隣接する第２の端縁部１２ａと第３の端縁部１３ａとが平面的に見て一致していることから、当該隣接部分から第２のシート片１２と第３のシート片１３が意図しないときに剥離する虞を低減できる。これは、郵送その他の搬送時に誤って第３のシート片１３が剥離して分離状態となる危険性を回避できることを意味する。同様に、第３の端縁部１３ａよりも第１の端縁部１１ａが反対側（折り返し線ｂの側、図示左側）に配置されていることによっても、第３のシート片１３が第１のシート片１１から意図せずに剥離する虞を低減できる。
【００３１】
もっとも、本発明においては、第１の端縁部１１ａを第３の端縁部１３ａと平面的に見て一致するように構成しても構わない。このような構造は、上記裁断工程において第２のシート片１２及び第３のシート片１３とともに第１のシート片１１をも一括して裁断することで容易に構成できる。さらには、上記とは逆に、第３の端縁部１３ａが第１の端縁部１１ａよりも反対側（折り返し線ｂの側、図示左側）に配置されていてもよい。
【００３２】
ただし、上述のように第１の端縁部１１ａと、第２の端縁部１２ａ及び第３の端縁部１３ａとの間に折り返し方向の位置ずれが存在することで、利用者が意図的に第３のシート片１３を剥離しようとする場合には、この位置ずれ部分を端緒に剥離作業を容易に実施できる。
【００３３】
本実施形態では、第３のシート片１３が折り返し線ｂで連続する第１のシート片１１と第２のシート片１２の間に挟持された状態で剥離可能に接着されているので、第３のシート片１３の第３の端縁部１３ａとは反対側の端縁部１３ｂが折り返し部分によって包摂されることとなるから、第３のシート片１３が意図しないときに剥離して脱落する虞をさらに低減できる。また、第３のシート片１３の表裏両面がいずれも他のシート片によって被覆されることとなるため、第３のシート片１３の秘匿性を高めることも可能になる。
【００３４】
本実施形態の製造方法では、一体の元シート１０Ｘを各シート片単位で折り畳み、少なくとも第２のシート片１２と第３のシート片１３を剥離可能に接着した後に、折り返し線ａと並行して隣接する裁断線ｃに沿って裁断することで帳票１０を製造できるので、ミシン目を形成する工程を省略でき、また、折り返し工程において折り返し線ａとミシン目を正確に合わせこむ必要もなくなるため、迅速かつ容易に、しかも低コストで製造できるという利点が得られる。
【００３５】
また、上記のように裁断前の帳票１０Ｙにおいて、折り返し線ａによる折り返し部分よりも第１の端縁部１１ａを反対側（折り返し線ｂの側、図示左側）に配置しておくことで、第１のシート片１１に遮られずに裁断線ｃに沿って第２のシート片１２と第３のシート片１３を裁断して分離することができるため、第１のシート片１１の端縁部の態様とは無関係に裁断工程を実施できる。もっとも、この裁断工程において第１のシート片１１を重ねて共に裁断しても構わない点は上述の通りである。
【００３６】
［第２実施形態］
次に、図７を参照して、本発明に係る第２実施形態について説明する。本実施形態では、第１実施形態と同様に構成できる点は説明を省略し、第１実施形態と対応する部分には「′」を付加した符号を付与することとする。
【００３７】
本実施形態では、図７（ａ）に示すように、連続する第１のシート片１１′、第２のシート片１２′及び第３のシート片１３′を有する元シート１０Ｘ′を折り返し線ａ、ｂに沿って折り返すことは上記と同様である。しかしながら、本実施形態では、元シート１０Ｘ′の表面上に形成される透明な接着層１０ａ′が第１のシート片１１′から第２のシート片１２′に亘る範囲に形成され、裏面上に形成される透明な接着層１０ｂ′が第２のシート片１２′から第３のシート片１３′に亘る範囲に形成されている点で異なる。また、折り返し方法として、折り返し線ａによる押し返し方向と、折り返し線ｂによる折り返し方向とが相互に逆方向とされる点で異なる。すなわち、図７（ｂ）に示すように折り返し線ａでは山折りとされるのに対して、図７（ｃ）に示すように折り返し線ｂでは谷折りとされることで、元シート１０Ｘ′を全体としてＮ字状となるように（いわゆる「Ｎ折り」に）折り畳むようにする。
【００３８】
そして、上記の折り畳み状態で、加熱加圧処理によって各シート片同士を圧着し、それぞれ剥離可能に接着する。このようにして構成された帳票１０Ｙ′においては、折り返し線ａによる折り返し部分が第１の端縁部１１ａ′より突出した状態とされる。また、第３のシート片１３′の折り返し線ｂの側の端縁部１３ｂ′よりも折り返し線ｂによる折り返し部分が突出した状態とされる。
【００３９】
その後、図７（ｄ）に示すように、折り返し線ａと並行して隣接する裁断線ｃに沿って直接に剥離可能に接着されてなる第２のシート片１２′及び第３のシート片１３′を裁断し、これによって第３のシート片１３′が分離された状態となって、帳票１０′が完成される。
【００４０】
なお、この裁断後においては、新たに形成された第２の端縁部１２ａ′と第３の端縁部１３ａ′が平面的に見て一致した位置とされる。また、第１の端縁部１１ａ′は第２の端縁部１２ａ′及び第３の端縁部１３ａ′よりも反対側（折り返し線ｂの側、図示左側）に配置される。さらに、上記の端縁部１３ｂ′は、折り返し線ｂによる折り返し部分より第３の端縁部１３ａ′の側（図示右側）に配置される。
【００４１】
本実施形態においては、元シート１０Ｘ′をＮ折り状に折り畳むことで、第３のシート片１３′が第２のシート片１２′のみに剥離可能に接着されることとなり、しかも、第３のシート片１３′の片面が露出した状態とされる。したがって、第３のシート片１３′の秘匿性は片面のみで得られ、接着面も片面のみとなるが、第３のシート１３′を切り離す際には第２のシート片１２′からのみ剥離させれば足りるので、切り離し作業が容易になる。なお、その他の作用効果については、以下の点を除いて第１実施形態で説明したところと同様である。すなわち、本実施形態では、上述のように第１の端縁部１１ａ′と第２の端縁部１２ａ′の間に折り返し方向の位置ずれが存在するので、当該位置ずれ部分を利用者が意図的に第１のシート片１１′と第２のシート片１２′を剥離しようとする際の端緒として用いることができ、また、上述のように端縁部１３ｂ′と折り返し線ｂによる折り返し部分との間にも折り返し方向の位置ずれが存在するので、この位置ずれ部分を第３のシート片１３′を意図的に剥離しようとする際の端緒とすることができる。
【００４２】
［その他の実施形態］
最後に、図８乃至図１１を参照して、上記以外の実施形態について説明する。なお、以下の説明において説明する各実施形態は、上記第１実施形態又は第２実施形態のいずれかの基本構成と同様の構成部分を備えたものであり、その構成部分における細部の構成については上記第１実施形態又は第２実施形態において基本構成に関して説明した事項及びその変形例と同様に構成可能であるので、以下の説明において当該事項及びその変形例についての説明は省略する。また、以下の各実施形態において、上記第１実施形態及び第２実施形態にて説明した各種の変形例を適宜に選択の上組み合わせて構成できることは当然である。なお、各実施形態の第１乃至第３のシート片にそれぞれ対応する各シート片に付与する符号については、各シート片について下二桁の数字を上記第１実施形態において対応する第１乃至第３のシート片の符号の数字と同一にしている。
【００４３】
図８（ａ）に示す実施形態は、折り返し線を介して連続する第１のシート片１１１と第２のシート片１１２の間に挟持された状態で剥離可能に接着された第３のシート片１１３を有する、第１実施形態と同様の基本構成に、さらに、第１のシート片１１１と連続し、第１のシート片１１１から折り返されることで第２のシート片１１２における第３のシート片１１３とは反対側の面上に剥離可能に接着された第４のシート片１１１′を設けたものである。ここで、図示の帳票は、当初、全てのシート片１１１、１１２、１１３、１１１′が連続した元シートであったものが、第１のシート片１１１、第２のシート片１１２、第３のシート片１１３が第１実施形態と同様に折り返された後、裁断線ｃの外側に図示点線で示す部分（第２のシート片１１２と第３のシート片１１３の折り返し部分）が裁断により切断除去され、その後、第４のシート片１１１′がその上を包摂するように折り返されてなる。このように、切断除去した部分をさらに被覆するように折り返し部分で被覆することが可能であり、また、第１のシート片と第２のシート片からなる連続シート体を三を越える枚数のシート片で構成することも可能である。
【００４４】
この実施形態では、第３のシート片１１３の両端縁部が第１のシート片１１１と第２のシート片１１２の折り返し部分と、第１のシート片１１１と第４のシート片１１１′の折り返し部分とによって共に被覆されるので、意図しない第３のシート片１１３の剥離をさらに確実に抑制することが可能になる。
【００４５】
なお、この実施形態では、第１のシート片１１２、第２のシート片１１１及び第３のシート片１１３からなる第１実施形態と同様の基本構成に、さらに第４のシート片１１１′を付加した構成と見ることも可能である。
【００４６】
図８（ｂ）に示す実施形態では、第１のシート片１１１、第２のシート片１１２及び第３のシート片１１３からなる第１実施形態と同様の基本構成に、さらに第４のシート片１１３′を第２のシート片１１２における第３のシート片１１３とは反対側の面上に剥離可能に接着している。この実施形態では、裁断工程において、第２のシート片１１２と第３のシート片１１３の折り返し部分とともに、第１のシート片１１１と第４のシート片１１３′の折り返し部分をも切断除去することで、２枚のシート片１１３、１１３′を共に他のシート片とは分離した状態としている。このように複数の折り返し部分を切断除去して複数の独立した第３のシート片、第４のシート片をそれぞれ設けることも可能であり、また、複数の折り返し部分を単一の裁断工程において同時に切断除去することも可能である。
【００４７】
この実施形態では、二箇所の折り返し部分を同時に切断除去できるため、工程数が増加しないとともに、四枚のシート片を全て折り返し、全て剥離可能に接着した後に裁断を行うことができるため、全体として工程数を図８（ａ）に示す実施形態より削減できる。
【００４８】
なお、この実施形態は、第１のシート片１１１、第２のシート片１１２及び第３のシート片１１３′からなる第２実施形態と同様の基本構成に、さらに第４のシート片１１３を付加した構成と見ることも可能である。
【００４９】
図９（ａ）に示す実施形態は、第１のシート片２１１、第２のシート片２１２及び第３のシート片２１３からなる第２実施形態と同様の基本構成に、さらに図８（ａ）に示す実施形態と同様に第１のシート片２１１から折り返された第４のシート片２１２′を設けたものである。このように、第２の実施形態の基本構成についても、切断除去した部分をさらに被覆するように折り返し部分で被覆することが可能であり、また、第１のシート片と第２のシート片を含む連続シート体を三以上のシート片で構成することも可能である。
【００５０】
なお、この実施形態は、第１のシート片２１１、第２のシート片２１２′及び第３のシート片２１３からなる第１実施形態と同様の基本構成に、さらに第４のシート片２１２を付加した構成と見ることも可能である。
【００５１】
図９（ｂ）に示す実施形態では、第１のシート片２１１、第２のシート片２１２及び第３のシート片２１３からなる第２実施形態と同様の基本構成に、さらに図８（ｂ）に示す実施形態と同様に第１のシート片２１１から折り返された第４のシート片２１３′を設け、第２のシート片２１２と第３のシート片２１３の折り返し部分、及び、第１のシート片２１１と第４のシート片２１３′の折り返し部分を裁断線ｃによる裁断で一括して切断除去し、第３のシート片２１３及び第４のシート片２１３′を分離している。このように、第２の実施形態の基本構成についても、複数の折り返し部分を切断除去して複数のシート片をそれぞれ独立して設ける（分離する）ことも可能であり、また、複数の折り返し部分を単一の裁断工程において同時に切断除去することも可能である。
【００５２】
図１０（ａ）に示す実施形態は、第１のシート片３１１、第２のシート片３１２及び第３のシート片３１３からなる第２実施形態と同様の基本構成に、さらに第４のシート片３１２′を付加した構成を有する。第４のシート片３１２′は、第１のシート片３１１における第２のシート片３１２とは反対側の端縁部で折り返され、第１のシート片３１１における第２のシート片３１２とは反対側の面に剥離可能に接着されている。
【００５３】
図１０（ｂ）に示す実施形態では、第１のシート片３１１、第２のシート片３１２及び第３のシート片３１３からなる第２実施形態と同様の基本構成に、さらに第４のシート片３１３′を付加した構成を有している。第４のシート片３１３′は、第１のシート片３１１における第２のシート片３１２とは反対側の面に剥離可能に接着されている。この帳票は、第１のシート片３１１と第４のシート片３１３′の折り返し部分を裁断工程により切断除去することで製造されるが、この裁断は上記と同様に第２のシート片３１２と第３のシート片３１３の折り返し部分を切断除去する裁断工程と一括して行うことができる。
【００５４】
なお、この実施形態は、第１のシート片３１２、第２のシート片３１１及び第３のシート片３１３′からなる第２実施形態と同様の基本構成に、さらに第４のシート片３１３を付加した構成と見ることも可能である。
【００５５】
図１１（ａ）に示す実施形態は、第１のシート片４１１、第２のシート片４１２及び第３のシート片４１３からなる第１実施形態と同様の基本構成に、さらに第４のシート片４１３′を独立して付加したものである。この第４のシート片４１３′は、第１のシート片４１１と第３のシート片４１３の間に挟持された状態で独立して剥離可能に接着されている。この第４のシート片４１３′は、基本構成を形成するための裁断線ｃによる裁断処理とは別に、第３のシート片４１３と第４のシート片４１３′の折り返し部分を別の裁断線ｄにより切断除去することによって独立した状態に構成される。ここで、裁断線ｃの両側にある第１のシート片４１１と第３のシート片４１３は直接に剥離可能に接着されているわけではないが、第４のシート片４１３′を介して間接的に剥離可能に構成された後に、裁断線ｃに沿った裁断が行われる。
【００５６】
なお、この実施形態は、第１のシート片４１１、第２のシート片４１２及び第３のシート片４１３′からなる第１実施形態と同様の基本構成に、さらに独立した第４のシート片４１３を付加した構成と見ることも可能である。
【００５７】
図１１（ｂ）に示す実施形態では、第１のシート片４１１、第２のシート片４１２及び第３のシート片４１３からなる第２実施形態と同様の基本構成に、さらに第３のシート片４１３と折り返し部分を介して連続する第４のシート片４１４を付加している。このように、第３のシート片４１３にさらに別のシート片が連続していても構わない。
【００５８】
尚、本発明の帳票は、上述の図示例にのみ限定されるものではなく、本発明の要旨を逸脱しない範囲内において種々変更を加え得ることは勿論である。例えば、上記実施形態では裁断線ｃ、ｄをいずれも直線とした例のみを示したが、ジグザグ線などの折れ線、波線などの曲線であってもよい。また、各実施形態ではいずれも対向面同士を全面的に剥離可能に接着する例を示したが、対向面の一部のみを剥離可能に接着し、他の部分を接着しない構成とすることもできる。さらに、上記各実施形態では圧着葉書を構成する場合を前提として説明したが、圧着封筒やその他の各種の帳票を構成する場合でも有効である。
【図面の簡単な説明】
【００５９】
【図１】第１実施形態の元シートの表面図。
【図２】第１実施形態の元シートの裏面図。
【図３】第１実施形態の元シートの断面図。
【図４】第１実施形態の最初の折り返し工程後の状態を示す断面図（ａ）及び平面図（ｂ）。
【図５】第１実施形態の次の折り返し工程及び圧着工程の後の状態を示す断面図（ａ）及び平面図（ｂ）。
【図６】第１実施形態の帳票の完成状態を示す断面図（ａ）及び平面図（ｂ）。
【図７】第２実施形態の製造工程を示す工程断面図（ａ）乃至（ｄ）。
【図８】その他の実施形態の概略断面図（ａ）及び（ｂ）。
【図９】その他の実施形態の概略断面図（ａ）及び（ｂ）。
【図１０】その他の実施形態の概略断面図（ａ）及び（ｂ）。
【図１１】その他の実施形態の概略断面図（ａ）及び（ｂ）。
【符号の説明】
【００６０】
１０…帳票、１０Ｘ…元シート、１０Ｙ…（裁断前の）帳票、１０ａ，１０ｂ…接着層、１１…第１のシート片、１１ａ…第１の端縁部、１２…第２のシート片、１２ａ…第２の端縁部、１３…第３のシート片、１３ａ…第３の端縁部、１３ｂ′…（反対側の）端縁部
【図１】
2009274245.tif 000003
【図２】
2009274245.tif 000004
【図３】
2009274245.tif 000005
【図４】
2009274245.tif 000006
【図５】
2009274245.tif 000007
【図６】
2009274245.tif 000008
【図７】
2009274245.tif 000009
【図８】
2009274245.tif 000010
【図９】
2009274245.tif 000011
【図１０】
2009274245.tif 000012
【図１１】
2009274245.tif 000013